(57)【要約】【課題】他のモダリティで得られている医用画像を参照した撮影を行うに際して、他モダリティ医用画像の検索・抽出に関する負担の軽減を可能とする医用画像診断装置の提供。【解決手段】医用画像診断装置は、その画像処理装置４に参照画像収集表示手段１２を備えている。参照画像収集表示手段は、撮影対象の被検者に関する情報を入力する被検者情報入力部１４、他のモダリティにより被検者について既に撮影されている他モダリティ医用画像を被検者情報に基づいて検索・収集する他モダリティ医用画像検索収集部１５、および他モダリティ医用画像検索収集部で検索・収集した他モダリティ医用画像を所定の様式で参照用として表示する参照画像表示部１６を含んでおり、撮影対象の被検者に関する情報を参照画像収集表示手段に入力するだけで、当該被検者について他のモダリティで既に撮影されている医用画像を検索・収集して参照用として表示することができるようにされている。【選択図】図４
2006230867.tif 000002
【特許請求の範囲】
【請求項１】
被検者の医用画像を撮影する医用画像診断装置において、
前記被検者の返用画像に付帯する被検者情報を入力する被検者情報入力部と、前記医用画像診断装置と機能性の異なる他の医用画像診断装置により前記被検者について既に撮影されている他の医用画像を前記被検者情報入力部に入力の被検者情報に基づいて検索して収集する他医用画像収集部とを、備えたことを特徴とする医用画像診断装置。
【発明の詳細な説明】
【技術分野】
【０００１】
本発明は、医用画像の撮影に用いられる医用画像診断装置に関する。
【背景技術】
【０００２】
医療分野では、例えばＸ線ＣＴ装置、ＭＲＩ装置、デジタルサブトラクションアンギオ装置（血管造影撮影装置）、デジタルラジオグラフィ装置（透視撮影装置）などさまざまなモダリティ（医用画像診断装置）が用いられている。例えば特許文献１には、複数種類のモダリティをネットワークで接続して形成する医用情報管理システムの例が開示されている。この特許文献１に開示の医用情報管理システムでは、各モダリティで得られる医用画像データを共通のデータ蓄積装置で管理できるようにすることで、異なるモダリティ間でのデータの汎用性を高め、各モダリティが有するリソースのより有効な活用を図れるようにしている。
【０００３】
また、特許文献２には、あるモダリティで得られる医用検査画像を読影するのに際して、読影対象の被検者（患者）について現在撮影した検査画像を当該被検者について過去に撮影した検査画像と比較する場合に、その現在検査画像と過去検査画像の比較のための表示をより効率的に行えるようにする手法が提案されている。
【０００４】
【特許文献１】特開２００３−２３３６７４号公報
【特許文献２】特開２０００−１６６８７８号公報
【発明の開示】
【発明が解決しようとする課題】
【０００５】
医療分野で用いられる各種のモダリティは、得られる医用画像の機能特性がそれぞれ異なっている。そのため、あるモダリティでの撮影に際して他のモダリティで既に得られている同一被検者の医用画像を参照することが、そのモダリティでの撮影をより有効なものとする上で効果的であることも少なくない。そのような他モダリティの医用画像の参照を行うには、他モダリティの医用画像を検査対象の被検者について検索して取り出す必要がある。しかし、こうした他モダリティの医用画像の検索・抽出のための作業は、上記特許文献１に開示の医用情報管理システムのように、各モダリティで得られる医用画像を共通のデータ蓄積装置で管理するシステムが構築されている医療現場であれば、それほど大きな負担となることはないものの、そうでない医療現場では撮影者に大きな負担を強いることになる。すなわち、上記特許文献１で説明されている従来のシステム例（特許文献１の図１）のように、各モダリティに医用画像保管サーバが設けられ、モダリティごとにその医用画像を管理するシステムとなっている医療現場では、参照用の医用画像を必要とするモダリティごとに検索・抽出作業を行う必要があり、撮影者に大きな負担を強いることになる。
【０００６】
本発明は、以上のような事情を背景になされてものであり、他のモダリティで得られている医用画像を参照した撮影を行うに際して、その他モダリティの医用画像の検索・抽出に関する負担の軽減を可能とする医用画像診断装置の提供を目的としている。
【課題を解決するための手段】
【０００７】
上記目的のために本発明では、被検者の医用画像を撮影する医用画像診断装置において、前記被検者の返用画像に付帯する被検者情報を入力する被検者情報入力部と、前記医用画像診断装置と機能性の異なる他の医用画像診断装置により前記被検者について既に撮影されている他の医用画像を前記被検者情報入力部に入力の被検者情報に基づいて検索して収集する他医用画像収集部とを、備えたことを特徴としている。
【発明の効果】
【０００８】
本発明では、医用画像診断装置に参照画像収集表示手段を設け、撮影対象の被検者に関する情報を参照画像収集表示手段に入力するだけで、当該被検者について他のモダリティで既に撮影されている医用画像の全てを検索・収集することができるようにしている。したがって本発明によれば、他のモダリティで得られている医用画像を参照した撮影を行う場合に、その他モダリティ医用画像の検索・抽出についての撮影者の負担を軽減することが可能となる。
【発明を実施するための最良の形態】
【０００９】
以下、本発明の実施の形態について説明する。図１に一実施形態による医用画像診断装置の全体構成の概略を示す。本実施形態の医用画像診断装置１は、撮影装置２、操作器３、画像処理装置４および２台のモニタ５-１、５-２を主な要素としている。撮影装置２は、操作器３を介した操作で撮影を行えるようにされており、デジタルサブトラクションアンギオ装置（血管造影撮影装置）の機能とデジタルラジオグラフィ装置（透視撮影装置）の機能を兼ね備えている。このため本実施形態の医用画像診断装置は、統合型装置とも呼ばれる。
【００１０】
画像処理装置４は、その機能的構成を図２に示すように、画像処理手段１１、参照画像収集表示手段１２および画像データ保存手段である磁気ディスク１３を備えている。画像処理手段１１は、デジタルサブトラクションアンギオ画像とデジタルラジオグラフィ画像のための周知の画像処理機能を実現するように構成されている。参照画像収集表示手段１２は、被検者情報入力部１４、他モダリティ医用画像検索収集部１５および参照画像表示部１６を含んで構成されている。
【００１１】
この医用画像診断装置すなわち統合型装置１は、図３に模式化して示すように、Ｘ線ＣＴ装置２１、ＭＲ装置２２、ＣＲ装置２３などの他のモダリティそれぞれにおける画像サーバ２４とネットワーク２５を介して接続されている。
【００１２】
以下では、統合型装置１でなされる医用画像の撮影について、参照画像収集表示手段１２による処理を主体にして説明する。統合型装置１で撮影を行うには、まず撮影予約ファイル（検査予約ファイル）などに基づいて撮影対象の被検者に関する情報（例えばＩＤや名前など）を入力する。その被検者情報は、被検者情報入力部１４により参照画像収集表示手段１２に取り込まれる。これを受けて他モダリティ医用画像検索収集部１５は、図３における他のモダリティにより当該被検者について既に撮影されている医用画像の全てを自動的に検索・収集して磁気ディスク１３に保存する。そして当該被検者についての撮影を開始するにあたって、または当該被検者について撮影を行っている最中に撮影者が参照画像表示指示を参照画像表示部１６に与えると、これを受けて参照画像表示部１６は、他モダリティ医用画像検索収集部１５が既に検索・収集してある他モダリティ医用画像の表示を例えばモニタ５-２で行う。
【００１３】
その表示は図４に示す手順で行われる。まず検索・収集された他モダリティ医用画像のリストを表示する（ステップ１０１）。次いで、その表示リストから撮影者が必要な他モダリティ医用画像を選択する（ステップ１０２）。次いで、選択された他モダリティ医用画像をサムネール表示する（ステップ１０３）。その表示の例を図５に示す。図の例では、モニタ５-２の画面を上下で第１のウインドウ（ショットインデックスウインドウ）Ｗ１と第２のウインドウ（リファレンスインデックスウインドウ）Ｗ２に２分割し、第１のウインドウＷ１に他モダリティ存医用画像のサムネール表示を行うようにしている。
【００１４】
ステップ１０３に続くステップ１０４では、このようにサムネール表示された他モダリティ医用画像Ｐ１〜Ｐｎから最終的に参照用とする他モダリティ医用画像をさらに選択する。この最終的な参照画像の選択に際しては、参照し易くするための画像処理を必要に応じて行えるようにしている。具体的には、サムネール表示からクリックするなどして一つの他モダリティ医用画像を選択すると、その選択された他モダリティ医用画像は、画像処理のためにまずモニタ５-１に表示される。モニタ５-１に表示された他モダリティ医用画像は、画像処理を必要とする場合であればその必要な画像処理を施された後に、画像処理を必要としない場合であればそのままで、モニタ５-２の第２のウインドウＷ２に最終的な参照画像Ｐｒ１〜Ｐｒｎ（図の例では参照画像Ｐｒ１だけが第２のウインドウＷ２に表示されている状態となっている）としてサムネール表示される。このように第２のウインドウＷ２に表示された参照画像は、必要に応じて拡大表示することもできるようにされている。なお、図５の例における第１と第２の各ウインドウＷ１、Ｗ２は、サムネール画像を４枚×２段＝８枚表示するのを基本とし、それ以上になった場合にはスクロールでサムネール画像を切替えることができるようにしている。また、第１と第２の各ウインドウＷ１、Ｗ２の高さサイズは、必要に応じてドラッグ操作などにより変えることができるようにしている。
【産業上の利用可能性】
【００１５】
本発明は、他のモダリティで得られている医用画像を参照した撮影を行うに際して、他モダリティの医用画像の検索・抽出に関する負担の軽減を可能とするものであり、医用画像診断装置の分野に広く利用することができる。
【図面の簡単な説明】
【００１６】
【図１】一実施形態による医用画像診断装置の全体構成の概略を示す図である。
【図２】画像処理装置の機能的な構成を示す図である。
【図３】図１の医用画像診断装置と他モダリティとのネットワーク構成を示す図である。
【図４】他モダリティ医用画像の表示処理の流れを示す図である。
【図５】他モダリティ医用画像のモニタ上での表示の例を示す図である。
【符号の説明】
【００１７】
１    医用画像診断装置
１２    参照画像収集表示手段
１４    被検者情報入力部
１５    他モダリティ医用画像検索収集部
１６    参照画像表示部
【図１】
2006230867.tif 000003
【図２】
2006230867.tif 000004
【図３】
2006230867.tif 000005
【図４】
2006230867.tif 000006
【図５】
2006230867.tif 000007